(57)【要約】【課題】本願発明の課題は、上下の竪樋の相対的移動を吸収できるとともに耐候性に優れた竪樋継手を提供することにある。【解決手段】本願の竪樋継手は、筒状蛇腹体１の上下端部に短筒状上継手部２と短筒状下継手部３とを接続してなる竪樋継手において、筒状カバー体４の上端円周部４１を短筒状上継手部２の外面全周に固着するとともに、筒状カバー体４の垂下部４２で筒状蛇腹体１の外周部を蔽ったことを特徴とする。また、上記筒状カバー体４が短筒状上継手部と一体成型されるとともに、筒状カバー体４の垂下部４２で筒状蛇腹体１の外周部を一定の環状空隙をおいて蔽うことが好まし。【選択図】図２
2009150152.tif 000002
【特許請求の範囲】
【請求項１】
筒状蛇腹体の上下端部に短筒状上継手部と短筒状下継手部とを接続してなる竪樋継手において、筒状カバー体の上端円周部を短筒状上継手部の外面全周に固着するとともに、筒状カバー体の垂下部で筒状蛇腹体の外周部を蔽ったことを特徴とする竪樋継手。
【請求項２】
上記筒状カバー体が短筒状上継手部と一体成型されるとともに、筒状カバー体の垂下部で筒状蛇腹体の外周部を一定の環状空隙をおいて蔽ったことを特徴とする請求項１記載の竪樋継手。
【請求項３】
上記筒状カバー体の垂下部の下端部が短筒状下継手部の外周部を一定の環状空隙をおいて蔽ったことを特徴とする請求項２記載の竪樋継手。
【発明の詳細な説明】
【技術分野】
【０００１】
本願発明は上下の竪樋を接続する竪樋継手に係り、特に、上下の竪樋の相対的移動を吸収できる筒状蛇腹体を装着した竪樋継手に関するものである。
【背景技術】
【０００２】
従来、実開平４−１１３６２３号公報には、筒状蛇腹体の上端部に形成した短筒状上継手部に上側竪樋を接続し筒状蛇腹体の下端部に形成した短筒状下継手部に下側竪樋を接続した竪樋継手が開示されている。この竪樋継手は、竪樋の熱膨張収縮の吸収、地震、強風等による上下竪樋の相対的変位の吸収、竪樋の取付施工時の上下竪樋の位置ずれの吸収を行うことができる、ことが容易に類推できる。
【０００３】
又、実開昭５７−１９２３３１号公報には、筒状蛇腹体の上下端部に竪樋を直接接続した竪樋継手が開示されている。この竪樋継手も上下の竪樋の相対的移動を吸収できるようにしたものである。
【特許文献１】実開平４−１１３６２３号公報
【特許文献２】実開昭５７−１９２３３１号公報
【発明の開示】
【発明が解決しようとする課題】
【０００４】
上記従来例である竪樋は、上下の竪樋の相対的移動を吸収できるようにしたものであるから、竪樋を竪樋継手で接続した後も、地震や風のため、筒状蛇腹体が上下方向の熱伸縮、水平方向の相対的ズレ移動、捩れ等の変位を頻繁に繰り返している。加えて、筒状蛇腹体は日光、風雨に直接晒されているから、耐候性に弱いという問題点があった。又、筒状蛇腹体が外部に露出しているから、小石やゴミ等が強風に舞い上げられて、該筒状蛇腹体に衝突し損傷させる等の事故が生ずることがあった。
【０００５】
本願発明は、上記背景技術に鑑みてなされたものであり、その目的は、上下の竪樋の相対的移動を吸収できるとともに耐候性に優れた竪樋継手を提供することにある。
【課題を解決するための手段】
【０００６】
上記課題を解決するために、本願請求項１記載の発明に係る竪樋継手は、筒状蛇腹体の上下端部に短筒状上継手部と短筒状下継手部とを接続してなる竪樋継手において、筒状カバー体の上端円周部を短筒状上継手部の下端部に固着するとともに、筒状カバー体の垂下部で筒状蛇腹体の外周部を蔽ったことを特徴とするものである。
【０００７】
本願請求項２記載の発明は、上記請求項１記載の竪樋継手において、上記筒状カバー体が短筒状上継手部と一体成型されるとともに、筒状カバー体の垂下部で筒状蛇腹体の外周部を一定の環状空隙をおいて蔽ったことを特徴とするものである。
【０００８】
本願請求項３記載の発明は、上記請求項２記載の竪樋継手において、上記筒状カバー体の垂下部の下端部が短筒状下継手部の外周部を一定の環状空隙をおいて蔽ったことを特徴とするものである。
【発明の効果】
【０００９】
本願請求項１記載の発明に係る竪樋継手は、上記のとおりであり、特に、筒状カバー体の上端円周部を短筒状上継手部の下端部に固着しているから、筒状蛇腹体の上端部と短筒状上継手部との接続部が筒状カバー体の上端円周部内に存在する状態になり、繰り返し荷重が最も頻繁に掛かる該接続部が、筒状カバー体によって耐候性向上のための保護がなされ、竪樋継手が長寿命になる。
【００１０】
また、筒状カバー体の垂下部で、筒状蛇腹体の強度上の弱点である外周部を蔽っているので、該筒状蛇腹体の全長に亘って耐候性向上のための保護がなされることになり、長寿命になるとともに、小石等の外部飛来物の筒状カバー体への衝突を筒状カバー体が遮断するという効果がある。
【００１１】
本願請求項２記載の竪樋継手においては、特に、上記筒状カバー体と短筒状上継手部とを一体成型しているから、全体の構造が強度的に安定し筒状カバー体の形体維持が安定し、筒状カバー体の垂下部で筒状蛇腹体の外周部を一定の環状空隙をおいて蔽った状態が安定し筒状カバー体が不用意に筒状蛇腹体に接触せず筒状蛇腹体の変形がスムーズに行える。筒状カバー体と短筒状上継手部とをプラスチックで一体成型すればその製造が容易となる。
【００１２】
本願請求項３記載の竪樋継手においては、更に、上記筒状カバー体の垂下部の下端部が短筒状下継手部の外周部を一定の環状空隙をおいて蔽っているから、該筒状カバー体が筒状蛇腹体及び短筒状下継手部を、該竪樋継手の変位を邪魔することなく保護することになり、上下の竪樋の相対変位が円滑に行われるとともに、筒状蛇腹体を略完全に覆うことになり保護状態が一層確実に保障される。
【発明を実施するための最良の形態】
【００１３】
以下、本願発明の竪樋継手について図面を参照して詳細に説明する。図１は本願発明の第一の実施の形態に係る竪樋継手で竪樋を接続した状態を示す斜視図、図２は上記第一の実施の形態に係る竪樋継手と竪樋との接続状態を示す断面図である。図において、１は筒状蛇腹体でありプラスチックから形成され、該筒状蛇腹体１の上下端部はあらゆる方向に相対的移動できる。２は短筒状上継手部、３は短筒状下継手部でありプラスチックで形成された短筒状上継手部２と短筒状下継手部３とは筒状蛇腹体１の上下端部に接着剤で水密的に外嵌合されている。
【００１４】
短筒状上継手部２は上側の竪樋６の下端部を外嵌合して支承するための内部フランジ２１が形成され該内部フランジ２１の下部内周面に筒状蛇腹体１の上端部が接着固定されている。
【００１５】
短筒状上継手部２の下端部には筒状カバー体４の上端円周部４１が一体的に連設されている。このとき、筒状カバー体４の垂下部４２が筒状蛇腹体１の外周部を一定の環状空隙５をおいて蔽っている。更に、筒状カバー体４の垂下部４２の下端部４３は短筒状下継手部の外周部を一定の環状空隙５をおいて蔽っている。
【００１６】
短筒状下継手部３は下側の竪樋６の上端部を外嵌合して支承するための内部フランジ３１が形成され該内部フランジ３１の上部内周面に筒状蛇腹体１の下端部が接着固定されている。
【００１７】
図２に示した筒状カバー体４の形状はその上端円周部４１からスカート状に下広がりとなり続いて該スカート状下縁部から円筒状体が垂下しこの両者を合わせて垂下部４２としている。しかし、他の実施の形態として、垂下部４２の全部をスカート状にしてもよく、また、垂下部４２の全部を円筒状体としてもよい。
【００１８】
筒状カバー体４を短筒状上継手部２に外嵌合し、着脱自在に螺合嵌合してもよい。このような構造にすることにより、筒状蛇腹体１の上下端部を短筒状上継手部２の下端部と短筒状下継手部３の上端部とのそれぞれに接着固着した後に筒状カバー体４を短筒状上継手部２に螺合することができる。従って、当該筒状蛇腹体１の該固着作業を筒状カバー体４に邪魔されずに効率よく行うことができる。
【００１９】
図３は本願発明の第二の実施の形態に係る竪樋継手と竪樋との接続状態を示す断面図である。図において、４４は第二の実施の形態における可撓性筒状カバー体であり、該可撓性筒状カバー体４４はその上端部が短筒状上継手部２の外周部に接着剤で固着され垂下部４４１が筒状蛇腹体１の外周部を一定の環状空隙５を空けて蔽っている。
【００２０】
この可撓性筒状カバー体４４には縦方向に複数の切り目（図示せず）を設けて、筒状蛇腹体１の上下端部を短筒状上継手部２の下端部と短筒状下継手部３の上端部とに接着固着するときの作業を容易にしている。
【００２１】
又、この可撓性筒状カバー体４４を短筒状上継手部２の外周部に着脱自在に弾性固着してもよい。
【図面の簡単な説明】
【００２２】
【図１】本願発明の第一の実施の形態に係る竪樋継手で竪樋を接続した状態を示す斜視図。
【図２】上記第一の実施の形態に係る竪樋継手と竪樋との接続状態を示す断面図。
【図３】本願発明の第二の実施の形態に係る竪樋継手と竪樋との接続状態を示す断面図。
【符号の説明】
【００２３】
１      筒状蛇腹体
２      短筒状上継手部
２１    内部フランジ
３      短筒状下継手部
３１    内部フランジ
４      筒状カバー体
４１    筒状カバー体の上端円周部
４２    筒状カバー体の垂下部
４３    筒状カバー体の垂下部の下端部
４４    可撓性筒状カバー体
４４１  可撓性筒状カバー体の垂下部
５      環状空隙
６      竪樋
【図１】
2009150152.tif 000003
【図２】
2009150152.tif 000004
【図３】
2009150152.tif 000005